(57)【要約】【課題】ユーザによる録画番組の削除傾向を学習して録画番組の自動削除できるようにする。【解決手段】削除スケジュール管理部（１６８）は、番組管理テーブル（１６８）で管理されている録画番組を所定の項目に関してグルーピングし、各グループについて、削除された録画番組の録画日時、再生日時、削除日時に基づいて番組が録画されてから削除されるまでの平均保持時間を計算し、該平均保持時間に基づいて未削除の録画番組の保持時間を決定し、該録画番組の削除スケジュールを番組管理テーブル（１６８）に登録する。削除実行部（１６５）は、番組管理テーブル（１６８）を参照して、削除スケジュールが過ぎた録画番組を削除する。【選択図】図２
2015070298.tif 000002
【特許請求の範囲】
【請求項１】
録画番組を保持する情報記録装置と、
前記録画番組の各種情報を保持する番組管理テーブルと、
番組が録画されたとき、録画日時、録画方法、番組情報を前記番組管理テーブルに登録する録画履歴管理部と、
録画番組が再生されたとき、再生日時を前記番組管理テーブルに登録する再生履歴管理部と、
録画番組が削除されたとき、削除日時を前記番組管理テーブルに登録する削除履歴管理部と、
前記番組管理テーブルに登録された情報に基づいて未削除の録画番組の保持時間を決定し、該録画番組の削除スケジュールを前記番組管理テーブルに登録する削除スケジュール管理部と、
前記番組管理テーブルを参照して、前記削除スケジュールが過ぎた録画番組を前記情報記録装置から削除する削除実行部とを備え、
前記削除スケジュール管理部は、前記番組管理テーブルで管理されている録画番組を所定の項目に関してグルーピングし、各グループについて、削除された録画番組の録画日時、再生日時、削除日時に基づいて番組が録画されてから削除されるまでの平均保持時間を計算し、該平均保持時間に基づいて未削除の録画番組の保持時間を決定する
ことを特徴とする録画再生装置。
【請求項２】
前記削除スケジュール管理部は、複数の項目のそれぞれに関して各グループの平均保持時間を計算し、各項目の各グループの平均保持時間に係数を乗じて累積加算して未削除の録画番組の保持時間を決定する
ことを特徴とする請求項１に記載の録画再生装置。
【請求項３】
前記削除スケジュール管理部は、あるグループに属するいずれかの録画番組がユーザによって削除されたとき、該グループに係る前記係数を減少させて未削除の録画番組の保持時間を更新する
ことを特徴とする請求項２に記載の録画再生装置。
【請求項４】
前記削除スケジュール管理部は、一定期間、あるグループに属するいずれの録画番組も削除されなかったとき、該グループに係る前記係数を増加させて未削除の録画番組の保持時間を更新する
ことを特徴とする請求項２または請求項３に記載の録画再生装置。
【請求項５】
前記削除スケジュール管理部は、録画番組に削除禁止のプロテクトが設定されたとき、前記番組管理テーブルから該録画番組の削除スケジュールを削除する
ことを特徴とする請求項１ないし請求項４のいずれかに記載の録画再生装置。
【請求項６】
前記削除実行部は、前記削除スケジュールが過ぎた録画番組を論理削除し、その後必要に応じて物理削除する
ことを特徴とする請求項１ないし請求項５のいずれかに記載の録画再生装置。
【請求項７】
前記項目が、ジャンル、タイトル、出演者、キーワード、および録画方法を含む
ことを特徴とする請求項１ないし請求項６のいずれかに記載の録画再生装置。
【発明の詳細な説明】
【技術分野】
【０００１】
本発明は、放送番組やネットワークを通じて配信される番組（コンテンツ）の録画再生装置に関し、特に、録画番組の自動削除の技術に関する。
【背景技術】
【０００２】
録画可能容量の増大や、録画可能チャンネル、番組の増大によって、録画再生装置に膨大な数の番組を録画することができるようになっている。それに伴って、録画番組の管理についてユーザの負担も増大している。
【０００３】
例えば、録画番組の削除作業は、膨大な録画番組から削除対象を選択して行わなければならない。この選択作業は、録画番組が多いほどユーザの負担となる。このため、ユーザの操作ミスなどが発生し、必要な録画番組を誤って削除してしまうおそれがある。
【０００４】
かかる問題に対し、例えば、録画コンテンツのメタデータに記録日時、キーワード、流行度といった消去判定用の指標を保存し、各指標を加重加算して消去判定値を求め、消去判定値の低いものを自動消去順序の上位にして記録コンテンツを自動消去する技術が知られている（例えば、特許文献１参照）。
【先行技術文献】
【特許文献】
【０００５】
【特許文献１】特開２００６−３３２９２１号公報
【発明の概要】
【発明が解決しようとする課題】
【０００６】
録画番組を自動削除する技術にはさまざまなものがあるが、そのほとんどが削除に関してユーザが何らかの設定をしなければならない。例えば、ユーザは、好みのジャンルやキーワードを登録する必要がある。
【０００７】
これに対して、特許文献１に開示された自動削除技術では、ユーザの好みを学習してそれを自動削除に応用している。例えば、ユーザが録画番組を視聴するたびにその録画番組に関連するキーワードの重みを自動的に上げることで、ユーザの手を煩わせることなく、当該キーワードに関連する録画番組の自動消去順序を下げている。しかし、従来の録画番組の自動削除に係るユーザの好みの学習は、ユーザが好みの録画番組を視聴したというポジティブな情報に基づいて行われており、ユーザが録画番組を削除したといったネガティブな情報は考慮されていない。このため、ユーザによる録画番組の削除傾向を的確に掴むことができずにユーザにとって不要な録画番組が削除されずに長期間残されたままとなる。これにより、録画可能容量が圧迫され、また、膨大な録画番組の中から所望の番組を視聴または削除する際のユーザ負担が増大してしまうこととなる。
【０００８】
上記問題に鑑み、本発明は、放送番組やネットワークを通じて配信される番組を録画および再生する録画再生装置に関して、ユーザによる録画番組の削除傾向を学習して録画番組の自動削除できるようにすることを目的とする。
【課題を解決するための手段】
【０００９】
本発明の一局面に従った録画再生装置は、録画番組を保持する情報記録装置と、録画番組の各種情報を保持する番組管理テーブルと、番組が録画されたとき、録画日時、録画方法、番組情報を前記番組管理テーブルに登録する録画履歴管理部と、録画番組が再生されたとき、再生日時を前記番組管理テーブルに登録する再生履歴管理部と、録画番組が削除されたとき、削除日時を前記番組管理テーブルに登録する削除履歴管理部と、前記番組管理テーブルに登録された情報に基づいて未削除の録画番組の保持時間を決定し、該録画番組の削除スケジュールを前記番組管理テーブルに登録する削除スケジュール管理部と、前記番組管理テーブルを参照して、前記削除スケジュールが過ぎた録画番組を前記情報記録装置から削除する削除実行部とを備え、前記削除スケジュール管理部は、前記番組管理テーブルで管理されている録画番組を所定の項目に関してグルーピングし、各グループについて、削除された録画番組の録画日時、再生日時、削除日時に基づいて番組が録画されてから削除されるまでの平均保持時間を計算し、該平均保持時間に基づいて未削除の録画番組の保持時間を決定するものである。
【００１０】
これによると、録画番組が所定の項目に関してグルーピングされたグループごとにユーザの削除傾向に応じた削除スケジュールが設定され、該削除スケジュールに従って未削除番組を自動的に削除することができる。
【００１１】
なお、前記削除スケジュール管理部は、複数の項目のそれぞれに関して各グループの平均保持時間を計算し、各項目の各グループの平均保持時間に係数を乗じて累積加算して未削除の録画番組の保持時間を決定してもよい。これによると、複数の項目を考慮して未削除の録画番組の保持時間を決定することができ、ユーザの削除傾向をより的確に反映させることができる。
【００１２】
さらに、前記削除スケジュール管理部は、あるグループに属するいずれかの録画番組がユーザによって削除されたとき、該グループに係る前記係数を減少させて未削除の録画番組の保持時間を更新してもよい。これによると、ユーザが削除した録画番組に類似する未削除の録画番組の保持時間を短くすることができる。
【００１３】
さらに、前記削除スケジュール管理部は、一定期間、あるグループに属するいずれの録画番組も削除されなかったとき、該グループに係る前記係数を増加させて未削除の録画番組の保持時間を更新してもよい。これによると、ユーザが一定期間削除しなかった録画番組に類似する未削除の録画番組の保持時間を長くすることができる。
【００１４】
前記削除スケジュール管理部は、録画番組に削除禁止のプロテクトが設定されたとき、前記番組管理テーブルから該録画番組の削除スケジュールを削除してもよい。これによると、削除禁止のプロテクトが設定された録画番組については自動削除の対象から除外することができる。
【００１５】
前記削除実行部は、前記削除スケジュールが過ぎた録画番組を論理削除し、その後必要に応じて物理削除してもよい。これによると、ユーザの誤操作により削除された録画番組やユーザが希望しないのに自動的に削除された録画番組などを復元することができ、ユーザの利便性を向上することができる。
【００１６】
なお、前記項目は、ジャンル、タイトル、出演者、キーワード、および録画方法を含み得る。
【発明の効果】
【００１７】
以上のように本発明によると、ユーザによる録画番組の削除傾向を学習して録画番組を自動削除することができる。これにより、録り貯められた膨大な数の録画番組を自動的に整理することができ、再生時や削除時におけるユーザの番組選択が容易になる。また、不要な録画番組を自動削除して、録画可能領域をより多く確保することができる。
【図面の簡単な説明】
【００１８】
【図１】本発明の一実施形態に係る録画再生装置の概略構成図
【図２】制御部の録画、再生、削除機能に関する機能ブロック図
【図３】番組管理テーブルに保持された情報の例を示す図
【発明を実施するための形態】
【００１９】
以下、図面を参照しながら本発明を実施するための形態について説明する。なお、本発明は、以下の実施形態に限定されるものではない。
【００２０】
図１は、本発明の一実施形態に係る録画再生装置の概略構成を示す。本実施形態に係る録画再生装置１０は、地上デジタル放送、ＢＳ／ＣＳデジタル放送、ケーブル放送などの放送番組や、インターネットなどのネットワークを通じて配信される番組（コンテンツ）を録画し、また、録画番組を再生する装置である。録画再生装置１０は、具体的には、ビデオレコーダー、テレビジョン受像機、セットトップボックス、放送受信機能を有するＰＣ、携帯端末などとして実現することができる。
【００２１】
録画再生装置１０は、受信処理部１１、コーデック１２、情報記録装置１３、ビデオ信号処理部１４、オーディオ信号処理部１５、および制御部１６を備えている。録画再生装置１０がテレビジョン受信機やＰＣなどで実現される場合、録画再生装置１０は、さらに、表示デバイス２００およびスピーカー３００を備えている。
【００２２】
受信処理部１１は、アンテナ１００から放送波を受信して、所望のチャンネルの放送信号を取得する。録画再生装置１０がネットワークに接続可能であれば、受信処理部１１は、図示しないネットワークカードを通じてインターネットなどからストリームデータを取得する。
【００２３】
受信処理部１１が受信した放送信号またはコンテンツには映像信号と音声信号が含まれ、さらにその他の信号（例えば、字幕データ信号や電子番組ガイド情報など）が含まれ得る。これら信号は、ＭＰＥＧ−２やＨ．２６４／ＭＰＥＧ−４  ＡＶＣなどの所定の符号化形式で圧縮符号化されている。コーデック１２は、受信処理部１１からそのような圧縮符号化された信号（ストリームデータ）を受けて分離およびデコードを行い、映像信号と音声信号を出力する。
【００２４】
情報記録装置１３は、番組を記録する装置である。情報記録装置１３は、例えば、ＨＤＤ（Hard Disk Drive）や、ブルーレイ（登録商標）などの光ディスク装置などで構成することができる。番組は、映像信号、音声信号、およびその他の信号（例えば、字幕データ信号など）などからなるデータである。情報記録装置１３においてこれら信号が所定の方式で圧縮符号化されて記録されている。コーデック１２は、受信処理部１１から受けたストリームデータをそのまま、または、ストリームデータをデコードしてさらに別の符号化形式で再エンコードして情報記録装置１３に記録する。以下、受信処理部１１から受けてそのまま情報記録装置１３に記録されるストリームデータや別の符号化形式に再エンコードされて情報記録装置１３に記録される圧縮符号化データのことを番組と称する。
【００２５】
なお、情報記録装置１１には、ＥＰＧ（Electronic Program Guide）あるいはＩＰＧ（Interactive Program Guide）などと呼ばれる電子番組ガイド情報も記録される。
【００２６】
映像信号処理部１４は、コーデック１２から映像信号を受けて、それをデジタル／アナログ変換して表示デバイス２００に出力する。表示デバイス２００は、例えば、液晶表示装置や有機ＥＬ表示装置などのフラットディスプレイパネルである。音声信号処理部１５は、コーデック１２から音声信号を受けて、それをデジタル／アナログ変換してスピーカー３００に出力する。
【００２７】
制御部１６は、受信処理部１１、コーデック１２、情報記録装置１３、映像信号処理装置１４、および音声信号処理装置１５の各構成要素の動作を制御する。制御部１６は、例えば、ＣＰＵ（Central Processing Unit）で実現することができる。ＣＰＵで構成された制御部１６は、図示しないＲＯＭやフラッシュメモリに格納されたプログラムを実行して上記各構成要素の動作を制御する。
【００２８】
次に、制御部１６が有する録画、再生、削除機能について説明する。図２は、制御部１６の制御部の録画、再生、削除機能のブロック図である。
【００２９】
制御部１６は、録画実行部１６１、録画履歴管理部１６２、再生実行部１６３、再生履歴管理部１６４、削除実行部１６５、削除履歴管理部１６６、番組管理テーブル１６７、および削除スケジュール管理部１６８を備えている。
【００３０】
録画実行部１６１は、コーデック１２から受けた圧縮符号化データを情報記録装置１１に記録する、すなわち番組を録画する。録画方法には、
１）番組ガイド機能を利用して指定された番組を録画する予約録画、
２）任意のジャンルやキーワードを登録しておいて番組詳細情報から当該登録情報にマッチする番組を自動的に見つけて録画する自動録画、
３）録画開始日時と期間または録画終了日時を指定して録画する時刻指定録画、
４）毎日または毎週の決まった時間帯の番組を録画する定期録画、
５）ユーザが録画操作をして視聴中の番組を即座に録画するダイレクト録画
などがある。
【００３１】
録画履歴管理部１６２は、番組が録画されたとき、録画日時、録画方法、番組情報を番組管理テーブル１６７に登録する。録画履歴管理部１６２は、例えば、録画実行部１６１が番組の録画を開始するときまたは番組の録画を終了したときに録画実行部１６１から通知を受けることで、番組が録画されたことを知ることができる。
【００３２】
番組情報は、番組のジャンル、放送開始日時、放送終了日時、タイトル、出演者、キーワードなどを含む。録画履歴管理部１６２は、例えば、情報記録装置１３に記録された電子番組ガイド情報からそのような番組情報を取得または抽出することができる。
【００３３】
再生実行部１６３は、ユーザが再生操作をすることで情報記録装置１３から指定された録画番組を読み出して再生する。情報記録装置１３から読み出された録画番組はコーデック１２によってデコードされて映像信号および音声信号となり、表示デバイス２００に映像が表示され、スピーカー３００から音声が出力される。
【００３４】
再生履歴管理部１６４は、録画番組が再生されたとき、再生日時を番組管理テーブル１６７に登録する。再生履歴管理部１６４は、例えば、再生実行部１６３が録画番組を再生するときに再生実行部１６３から通知を受けることで、録画番組が再生されたことを知ることができる。
【００３５】
削除実行部１６５は、情報記録装置１３に記録されている録画番組を削除する。削除実行部１６５は、ユーザが削除操作をすることで指定された録画番組を削除するだけではなく、番組管理テーブル１６７を参照して、削除スケジュールが過ぎた未削除の録画番組を自動で削除することができる。
【００３６】
なお、削除実行部１６５は、未削除の録画番組の削除スケジュールが近づいた場合、自動削除してもよいかどうかをユーザに確認するようにしてもよい。そして、削除実行部１６５は、ユーザの承認を得たもののみ自動削除し、ユーザが削除の承認をしなかった録画番組については、削除スケジュールを繰り延べるかまたは取り消すようにしてもよい。また、ユーザのリクエストにより、削除スケジュールを一覧形式で表示して、ユーザが削除スケジュールを適宜変更することも可能である。
【００３７】
また、削除実行部１６５は、いきなり録画番組を復元不可能に削除してしまうのではなく、まずは復元可能に削除、すなわち論理削除し、その後必要に応じて（例えば、情報記録装置１３の残容量が所定値を下回ったときや録画番組を論理削除してから一定時間が経過したときなど）、論理削除した録画番組を復元不可能に削除、すなわち物理削除することができる。論理削除された録画番組は、録画番組一覧などには表示されなくなるが、その実体データが削除されたわけではないため、特別な操作をすることで削除されていない状態に戻すことができる。したがって、録画番組を論理削除することによって、ユーザの誤操作により削除された録画番組やユーザが希望しないのに自動的に削除された録画番組などを復元することができ、ユーザの利便性を向上することができる。
【００３８】
削除履歴管理部１６６は、録画番組が削除されたとき、削除日時を番組管理テーブル１６７に登録する。削除履歴管理部１６６は、例えば、削除実行部１６５が録画番組を削除するときに削除実行部１６５から通知を受けることで、録画番組が削除されたことを知ることができる。
【００３９】
番組管理テーブル１６７は、録画番組の各種情報を保持するテーブルである。番組管理テーブル１６７は、例えば、フラッシュメモリなどの不揮発性メモリで構成してもよいし、情報記録装置１３に配置してもよい。
【００４０】
図３は、番組管理テーブル１６７に保持された情報の例を示す。各録画番組は、番組ＩＤで識別される。番組管理テーブル１６７には、番組情報として、各録画番組のジャンル、開始日時、終了日時、タイトル、出演者、キーワードが登録されている。なお、開始日時は、録画日時に該当する。すべての番組に番組情報の各項目が付与されているわけではなく、例えば、インターネットから受信したコンテンツにはそもそも開始日時、終了日時などの情報がない。したがって、そのような存在しない項目の情報は空白（ＮＵＬＬ）であってもよい。
【００４１】
番組管理テーブル１６７には、各録画番組の録画方法も登録されている。録画方法は、例えば、上記の５つの録画方法のいずれかである。
【００４２】
また、番組管理テーブル１６７には、ユーザ行動履歴として、各録画番組の再生日時、プロテクトの有無、削除日時が登録されている。プロテクトは、その録画番組の削除の可否を決定する。プロテクトされた（プロテクト＝Ｙ）録画番組は、情報記録装置１３から削除されることはない。
【００４３】
さらに、番組管理テーブル１６７には、未削除の各録画番組について削除予定日時が登録されている。後述するように、削除予定日時は、削除スケジュール管理部１６８によって登録される。
【００４４】
図２に戻り、削除スケジュール管理部１６８は、番組管理テーブル１６７に登録された情報に基づいて未削除の録画番組の保持時間を決定し、該録画番組の削除スケジュール、すなわち、削除予定日時を番組管理テーブル１６７に登録する。削除予定日時は、録画番組の録画日時に保持時間を加算した日時に相当する。
【００４５】
削除スケジュール管理部１６８は、例えば次のようにして未削除の録画番組の保持時間を計算することができる。まず、削除スケジュール管理部１６８は、番組管理テーブル１６７に登録された録画番組の過去の削除パターンから、番組管理テーブル１６７で管理されている未削除の録画番組のうち一度でも再生されたことがある録画番組（視聴済み番組）の平均保持時間Ｖｄｔ＿ｍｅａｎを式（１）に従って計算し、再生されたことがない録画番組（未視聴番組）の平均保持時間Ｎｄｔ＿ｍｅａｎを式（２）に従って計算する。
【００４６】
Ｖｄｔ＿ｍｅａｎ＝ｍｅａｎ［（Ｔｄｅｌ−Ｔｐｌｙ）×Ａ＋（Ｔｄｅｌ−Ｔｒｅｃ）×Ｂ］  …  （１）
Ｎｄｔ＿ｍｅａｎ＝ｍｅａｎ［（Ｔｄｅｌ−Ｔｒｅｃ）×Ｃ］  …  （２）
ただし、Ｔｄｅｌは各録画番組の削除日時、Ｔｐｌｙは各録画番組の再生日時、Ｔｒｅｃは各録画番組の録画日時を表す。したがって、Ｔｒｅｃ＜Ｔｐｌｙ＜Ｔｄｅｌの関係が成り立つ。Ａ，Ｂ，Ｃは係数である。また、ｍｅａｎは平均値を表す。
【００４７】
式（１）、（２）で計算されるＶｄｔ＿ｍｅａｎおよびＮｄｔ＿ｍｅａｎは、ユーザの嗜好を反映していない、視聴済み番組および未視聴番組の各平均保持時間である。次に、削除スケジュール管理部１６８は、Ｖｄｔ＿ｍｅａｎおよびＮｄｔ＿ｍｅａｎをベースにして、ユーザの嗜好を反映した未削除の録画番組の保持時間を計算する。
【００４８】
具体的には、削除スケジュール管理部１６８は、まず、番組管理テーブル１６７で管理されている録画番組を所定の項目に関してグルーピングする。グルーピング項目として、ジャンル、タイトル、出演者、キーワード、および録画方法などがある。例えば、録画番組をジャンルでグルーピングする場合、図３の例では、Ｅｖｅｎｔ−Ａ，Ｂ，Ｃの録画番組は「スポーツ／野球」のグループに、Ｅｖｅｎｔ−Ｄ，Ｅ，Ｈ，Ｉの録画番組は「ドラマ」のグループに、Ｅｖｅｎｔ−Ｆの録画番組は「映画／洋画」のグループに、Ｅｖｅｎｔ−Ｇの録画番組は「映画／邦画」のグループにそれぞれ分類される。また、図３の例において、録画番組を録画方法でグルーピングすると、Ｅｖｅｎｔ−Ａ，Ｂ，Ｃ，Ｅ，Ｇが「録画（予約録画を表す）」のグループに、Ｅｖｅｎｔ−Ｄ，Ｅ，Ｈ，Ｉが「毎週（定期録画を表す）」のグループにそれぞれ分類される。このように、グルーピング項目が複数存在する場合、グルーピング項目に応じて録画番組のグルーピング結果がさまざまに変わり得る。
【００４９】
なお、上記説明では「スポーツ／野球」、「映画／洋画」、「映画／邦画」といったように中分類でグルーピングしているが、「スポーツ」や「映画」といったように大分類でグルーピングしてもよい。この場合、総グループ数は少なくなり、１グループ当たりの録画番組数は多くなる。逆に、細分類でグルーピングしてもよい。この場合、総グループ数は多くなり、１グループ当たりの録画番組数は少なくなる。大分類、中分類、細分類のいずれを採用するかは、番組管理テーブル１６７で管理される録画番組数に応じて適宜変えてもよい。
【００５０】
次に、削除スケジュール管理部１６８は、各グループについて、削除された録画番組の録画日時、再生日時、削除日時に基づいて番組が録画されてから削除されるまでの平均保持時間を計算する。例えば、録画番組をジャンルでグルーピングした場合、式（１）、（２）に従って、ジャンルがＶであるグループに属する視聴済み番組の平均保持時間Ｖｄｔ＿ｍｅａｎ（ジャンル＝Ｖ）および未視聴番組の平均保持時間Ｎｄｔ＿ｍｅａｎ（ジャンル＝Ｖ）が計算される。また、例えば、録画番組をタイトルでグルーピングした場合、式（１）、（２）に従って、タイトルがＷであるグループに属する視聴済み番組の平均保持時間Ｖｄｔ＿ｍｅａｎ（タイトル＝Ｗ）および未視聴番組の平均保持時間Ｎｄｔ＿ｍｅａｎ（タイトル＝Ｗ）が計算される。
【００５１】
次に、削除スケジュール管理部１６８は、未削除の各録画番組について、各項目の各グループの平均保持時間に係数を乗じて累積加算して、当該未削除の録画番組の保持時間を決定する。例えば、ある未削除の録画番組のジャンルがＶ、タイトルがＷ、出演者がＸ、キーワードがＹ、録画方法がＺとすると、当該録画番組が視聴済み番組である場合、当該録画番組の保持時間Ｖｄｔは式（３）に従って計算される。
【００５２】
Ｖｄｔ＝Ｖｄｔ＿ｍｅａｎ＋
Ｖｄｔ＿ｍｅａｎ（ジャンル＝Ｖ）×Ｄ１＋
Ｖｄｔ＿ｍｅａｎ（タイトル＝Ｗ）×Ｄ２＋
Ｖｄｔ＿ｍｅａｎ（出演者＝Ｘ）×Ｄ３＋
Ｖｄｔ＿ｍｅａｎ（キーワード＝Ｙ）×Ｄ４＋
Ｖｄｔ＿ｍｅａｎ（録画方法＝Ｚ）×Ｄ５  …  （３）
ただし、Ｄ１〜Ｄ５は係数である。
【００５３】
一方、当該録画番組が未視聴番組である場合、当該録画番組の保持時間Ｎｄｔは式（４）に従って計算される。
【００５４】
Ｎｄｔ＝Ｎｄｔ＿ｍｅａｎ＋
Ｎｄｔ＿ｍｅａｎ（ジャンル＝Ｖ）×Ｅ１＋
Ｎｄｔ＿ｍｅａｎ（タイトル＝Ｗ）×Ｅ２＋
Ｎｄｔ＿ｍｅａｎ（出演者＝Ｘ）×Ｅ３＋
Ｎｄｔ＿ｍｅａｎ（キーワード＝Ｙ）×Ｅ４＋
Ｎｄｔ＿ｍｅａｎ（録画方法＝Ｚ）×Ｅ５  …  （４）
ただし、Ｅ１〜Ｅ５は係数である。
【００５５】
係数Ｄ１〜Ｄ５，Ｅ１〜Ｅ５は、例えば、−１から１までの間の値をとり得る。これら係数は、録画番組の削除状況に応じて初期値から更新される。削除スケジュール管理部１６８は、あるグループに属するいずれかの録画番組がユーザによって削除されたとき、該グループに係る係数を減少させて未削除の録画番組の保持時間を更新する。例えば、ユーザが、ジャンルがＶである録画番組を削除した場合、ユーザは当該ジャンルの録画番組について長期保存する意思がないと推定される。そこで、削除スケジュール管理部１６８は、ユーザが、ジャンルがＶである録画番組を削除したことを受けて、係数Ｄ１を小さくする。そして、削除スケジュール管理部１６８は、ジャンルがＶであるグループに属する未削除の各録画番組の保持時間を更新し、番組管理テーブル１６７の削除予定日時を上書きする。
【００５６】
逆に、削除スケジュール管理部１６８は、一定期間、あるグループに属するいずれの録画番組も削除されなかったとき、該グループに係る係数を増加させて未削除の録画番組の保持時間を更新する。例えば、ジャンルがＶである録画番組が一定期間ユーザによって削除されなかった場合、ユーザは当該ジャンルの録画番組について削除するつもりがない、すなわち、当該ジャンルの録画番組を長期保存する意思があると推定される。そこで、削除スケジュール管理部１６８は、ジャンルがＶである録画番組が一定期間削除されないことを検知すると、係数Ｄ１を大きくする。そして、削除スケジュール管理部１６８は、ジャンルがＶであるグループに属する未削除の各録画番組の保持時間を更新し、番組管理テーブル１６７の削除予定日時を上書きする。したがって、ユーザが録画番組をまったく削除しない状況が続けば、係数Ｄ１〜Ｄ５，Ｅ１〜Ｅ５は初期値に戻ることとなる。
【００５７】
なお、削除スケジュール管理部１６８は、録画番組に削除禁止のプロテクトが設定されたとき、番組管理テーブル１６７から該録画番組の削除スケジュールを削除することができる。一方、録画番組に削除禁止のプロテクトが解除されたとき、削除スケジュール管理部１６８は、当該録画番組の保持時間を決定して番組管理テーブル１６７に登録することができる。
【００５８】
また、上記説明では、録画番組をジャンル、タイトル、出演者、キーワード、録画方法の５つの項目でそれぞれグルーピングしているが、これら項目の少なくとも一つに関して録画番組をグルーピングしてもよいし、逆に、さらに多くの項目を追加してもよい。
【００５９】
以上のように本実施形態によると、ユーザによる録画番組の削除傾向を学習して録画番組を自動削除することができる。これにより、録り貯められた膨大な数の録画番組を自動的に整理して、再生時や削除時におけるユーザの番組選択が容易になる。また、不要な録画番組を自動削除して、録画可能領域をより多く確保することができる。
【符号の説明】
【００６０】
１０    録画再生装置
１３    情報記録装置
１６２  録画履歴管理部
１６４  再生履歴管理部
１６５  削除実行部
１６６  削除履歴管理部
１６７  番組管理テーブル
１６８  削除スケジュール管理部
【図１】
2015070298.tif 000003
【図２】
2015070298.tif 000004
【図３】
2015070298.tif 000005